(57)【特許請求の範囲】
【請求項１】
先端に一対の把持部を有する二股状に形成されて弾性変形可能な把持具本体を備え、前記一対の把持部を近づける方向に前記把持具本体を弾性変形させる外力を加えるように操作することで把持目的物を把持する把持具であって、
前記把持具本体は、当該把持具本体に前記外力を加えた状態のもとで、前記一対の把持部間の距離を、把持具の使用中に測定対象とする規定の距離に保持する保持手段を有し、
前記把持具本体は、互いに内面を対向させた一対の脚部と、一方の脚部の内面に設けられた凸部と、他方の脚部の内面に設けられて前記凸部を挿入離脱自在な凹部とを有し、
前記保持手段は、前記他方の脚部の内面でかつ前記凹部とは前記把持具本体の短手方向に位置をずらして設けられた突き当て基準部を有し、前記把持具本体に対して前記一対の把持部を近づける方向と当該把持具本体の短手方向に同時に外力を加えて当該把持具本体を弾性変形させ、前記突き当て基準部に前記凸部を突き当てた状態としたときに、前記一対の把持部間の距離を前記規定の距離に保持するものであるとともに、前記把持具本体の短手方向で前記突き当て基準部に対する前記凸部の突き当て位置を決める位置決め手段をさらに有する
ことを特徴とする把持具。
【請求項２】
前記位置決め手段は、前記把持具本体の短手方向で前記凹部と前記突き当て基準部との間に位置し、かつ当該突き当て基準部よりも前記一方の脚部の内面側に突出した状態で設けられたガイド片からなる
ことを特徴とする請求項１に記載の把持具。
【請求項３】
前記ガイド片は、前記凹部側を第１のガイド面とし、当該第１のガイド面によって前記凸部を前記凹部に挿入するようにガイドするとともに、前記突き当て基準部側を第２のガイド面とし、当該第２のガイド面によって前記凸部を前記突き当て基準部に突き当てるようにガイドするものである
ことを特徴とする請求項２に記載の把持具。
【請求項４】
前記凸部を前記突き当て基準部に突き当てるべく前記凸部を前記ガイド片の第２のガイド面でガイドするときに、前記把持具本体の弾性変形による反力が前記凸部を前記第２のガイド面に押し付ける方向に作用する
ことを特徴とする請求項３に記載の把持具。
【請求項５】
前記突き当て基準部は、前記他方の脚部の内面から前記一方の脚部の内面側に突出する突出部の突面に設けられている
ことを特徴とする請求項１に記載の把持具。
【請求項６】
前記ガイド片は、前記外力を加えるように前記把持具本体を操作したときに、前記一方の脚部の内面に接触することにより、当該操作の終点を規定するものである
ことを特徴とする請求項２、３または４に記載の把持具。
【請求項７】
前記ガイド片は、前記把持具本体の長手方向から見て当該ガイド片の突端側が基端側よりも肉薄となるテーパー状に形成されている
ことを特徴とする請求項２、３または４に記載の把持具。
【請求項８】
前記凸部および前記凹部は、前記外力を加えるように前記把持具本体を操作する途中で前記凸部を前記凹部に挿入することにより、前記把持具本体の短手方向で前記一対の把持部の位置を合わせる位置合わせ手段を兼ねる
ことを特徴とする請求項１に記載の把持具。
【請求項９】
前記保持手段は、前記他方の脚部の内面において、前記把持具本体の短手方向の両側にそれぞれ前記突き当て基準部を有する
ことを特徴とする請求項１に記載の把持具。
【請求項１０】
前記保持手段によって保持される前記一対の把持部間の規定の距離として、
前記把持具本体の短手方向の一方側に設けられた第１の突き当て基準部に前記凸部を突き当てたときに得られる第１の規定の距離と、前記把持具本体の短手方向の他方側に設けられた第２の突き当て基準部に前記凸部を突き当てたときに得られる第２の規定の距離とが、互いに等しい
ことを特徴とする請求項９に記載の把持具。
【発明の詳細な説明】
【技術分野】
【０００１】
本発明は、把持目的物を把持するために用いられる把持具に関する。
【背景技術】
【０００２】
眼科用の手術器具の一つに、鑷子と呼ばれる把持具がある。この把持具は、たとえば、眼球を固定する場合などに用いられる。把持具は、二股状をなす把持具本体の先端に一対の把持部を有する開閉式の器具である。把持具を用いた眼球の固定は、一対の把持部で結膜を挟み込むことにより行われる。
【０００３】
また、眼球の固定は、たとえば、眼球に注射針を差し込んで眼球内に治療薬を注入する場合に行われる。眼球に注射針を差し込むにあたっては、その差し込み位置（以下、「注射部位」という）が決められている。具体的には、成人の場合、眼球の角膜輪部（黒目と白目の境界）から３．５〜４．０ｍｍ離れた白目の部分（毛様体扁平部）を注射部位とする必要がある。
【０００４】
このため、実際の眼科手術では、注射する前に、上記の角膜輪部から注射部位までの距離を測定している。この測定には、互いに接近離間する方向に動作する一対の測定子を有する測定具が用いられている。この測定具において、一対の測定子間の距離は、たとえば、ネジ機構を用いて任意の距離に調整かつ設定可能となっている。
【０００５】
従来の把持具としては、たとえば、特許文献１に記載されているように、被対象物の大きさにより先端間隔を適宜変えられるピンセットが知られている。またこれ以外にも、たとえば、特許文献２に記載されているように、先端の噛み合わせを確実にするためにピンと孔を設けたピンセットが知られている。
【先行技術文献】
【特許文献】
【０００６】
【特許文献１】実開平２−７４１７３号公報
【特許文献２】実開平１−１７０２０９号公報
【発明の概要】
【発明が解決しようとする課題】
【０００７】
しかしながら、従来においては、眼科用の手術器具の一つとして把持具を取り扱う場合に、次のような難点があった。すなわち、眼球に注射する場合に、それに先立って、取り扱う手術器具を把持具から測定具に持ち替えて（交換して）注射部位を特定した後、再び測定具から把持具に持ち替えて眼球を固定する必要があった。また、把持具を一方の手で持ち続ける場合でも、他方の手は測定具から注射器に持ち替える必要があった。
【０００８】
本発明の主たる目的は、把持具と測定具を別々に使用する場合に比較して、把持具の使用中に器具を持ち替える（交換する）回数を減らすことができる技術を提供することにある。
【課題を解決するための手段】
【０００９】
本発明の第１の態様は、
先端に一対の把持部を有する二股状に形成されて弾性変形可能な把持具本体を備え、前記一対の把持部を近づける方向に前記把持具本体を弾性変形させる外力を加えるように操作することで把持目的物を把持する、眼科手術に用いられる把持具であって、
前記把持具本体は、当該把持具本体に前記外力を加えた状態のもとで、前記一対の把持部間の距離を、眼科手術中に測定対象とする規定の距離に保持する保持手段を有する
ことを特徴とする把持具である。
【００１０】
本発明の第２の態様は、
前記規定の距離は、眼球に注射するときの注射部位を特定するために測定する距離である
ことを特徴とする上記第１に態様に記載の把持具である。
【００１１】
本発明の第３の態様は、
先端に一対の把持部を有する二股状に形成されて弾性変形可能な把持具本体を備え、前記一対の把持部を近づける方向に前記把持具本体を弾性変形させる外力を加えるように操作することで把持目的物を把持する把持具であって、
前記把持具本体は、当該把持具本体に前記外力を加えた状態のもとで、前記一対の把持部間の距離を、把持具の使用中に測定対象とする規定の距離に保持する保持手段を有する
ことを特徴とする把持具である。
【００１２】
本発明の第４の態様は、
前記把持具本体は、互いに内面を対向させた一対の脚部と、一方の脚部の内面に設けられた凸部と、他方の脚部の内面に設けられて前記凸部を挿入離脱自在な凹部とを有し、
前記保持手段は、前記他方の脚部の内面でかつ前記凹部とは前記把持具本体の短手方向に位置をずらして設けられた突き当て基準部を有し、前記把持具本体に対して前記一対の把持部を近づける方向と当該把持具本体の短手方向に同時に外力を加えて当該把持具本体を弾性変形させ、前記突き当て基準部に前記凸部を突き当てた状態としたときに、前記一対の把持部間の距離を前記規定の距離に保持するものである
ことを特徴とする上記第３の態様に記載の把持具である。
【００１３】
本発明の第５の態様は、
前記保持手段は、前記把持具本体の短手方向で前記突き当て基準部に対する前記凸部の突き当て位置を決める位置決め手段をさらに有する
ことを特徴とする上記第４の態様に記載の把持具である。
【００１４】
本発明の第６の態様は、
前記位置決め手段は、前記把持具本体の短手方向で前記凹部と前記突き当て基準部との間に位置し、かつ当該突き当て基準部よりも前記一方の脚部の内面側に突出した状態で設けられたガイド片からなる
ことを特徴とする上記第５の態様に記載の把持具である。
【００１５】
本発明の第７の態様は、
前記ガイド片は、前記凹部側を第１のガイド面とし、当該第１のガイド面によって前記凸部を前記凹部に挿入するようにガイドするとともに、前記突き当て基準部側を第２のガイド面とし、当該第２のガイド面によって前記凸部を前記突き当て基準部に突き当てるようにガイドするものである
ことを特徴とする上記第６の態様に記載の把持具である。
【００１６】
本発明の第８の態様は、
前記凸部を前記突き当て基準部に突き当てるべく前記凸部を前記ガイド片の第２のガイド面でガイドするときに、前記把持具本体の弾性変形による反力が前記凸部を前記第２のガイド面に押し付ける方向に作用する
ことを特徴とする上記第７の態様に記載の把持具である。
【００１７】
本発明の第９の態様は、
前記突き当て基準部は、前記他方の脚部の内面から前記一方の脚部の内面側に突出する突出部の突面に設けられている
ことを特徴とする上記第４の態様に記載の把持具である。
【００１８】
本発明の第１０の態様は、
前記ガイド片は、前記外力を加えるように前記把持具本体を操作したときに、前記一方の脚部の内面に接触することにより、当該操作の終点を規定するものである
ことを特徴とする上記第６、第７または第８の態様に記載の把持具である。
【００１９】
本発明の第１１の態様は、
前記ガイド片は、前記把持具本体の長手方向から見て当該ガイド片の突端側が基端側よりも肉薄となるテーパー状に形成されている
ことを特徴とする上記第６、第７または８の態様に記載の把持具である。
【００２０】
本発明の第１２の態様は、
前記凸部および前記凹部は、前記外力を加えるように前記把持具本体を操作する途中で前記凸部を前記凹部に挿入することにより、前記把持具本体の短手方向で前記一対の把持部の位置を合わせる位置合わせ手段を兼ねる
ことを特徴とする上記第４の態様に記載の把持具である。
【００２１】
本発明の第１３の態様は、
前記保持手段は、前記他方の脚部の内面において、前記把持具本体の短手方向の両側にそれぞれ前記突き当て基準部を有する
ことを特徴とする上記第４の態様に記載の把持具である。
【００２２】
本発明の第１４の態様は、
前記保持手段によって保持される前記一対の把持部間の規定の距離として、
前記把持具本体の短手方向の一方側に設けられた第１の突き当て基準部に前記凸部を突き当てたときに得られる第１の規定の距離と、前記把持具本体の短手方向の他方側に設けられた第２の突き当て基準部に前記凸部を突き当てたときに得られる第２の規定の距離とが、互いに等しい
ことを特徴とする上記第１３の態様に記載の把持具である。
【００２３】
本発明の第１５の態様は、
前記凸部はピンからなり、
前記凹部は前記ピンを受け入れるピン受け部に形成され、
前記ピン受け部は、前記把持具本体の長手方向から見て左右対称な構造になっている
ことを特徴とする上記第１４の態様に記載の把持具である。
【００２４】
本発明の第１６の態様は、
前記保持手段によって保持される前記一対の把持部間の規定の距離として、
前記把持具本体の短手方向の一方側に設けられた第１の突き当て基準部に前記凸部を突き当てたときに得られる第１の規定の距離と、前記把持具本体の短手方向の他方側に設けられた第２の突き当て基準部に前記凸部を突き当てたときに得られる第２の規定の距離とが、互いに異なる
ことを特徴とする上記第１３の態様に記載の把持具である。
【００２５】
本発明の第１７の態様は、
前記凸部はピンからなり、
前記凹部は前記ピンを受け入れるピン受け部に形成され、
前記ピン受け部は、前記把持具本体の長手方向から見て左右非対称な構造になっている
ことを特徴とする上記第１６の態様に記載の把持具である。
【００２６】
本発明の第１８の態様は、
前記把持具本体は、互いに内面を対向させた一対の脚部と、一方の脚部の内面に設けられた凸部と、他方の脚部の内面に設けられて前記凸部を挿入離脱自在な凹部とを有し、
前記保持手段は、前記凸部の少なくとも先端側をすり割り構造とするとともに、前記凸部の外周面に突起を設け、前記把持具本体に対して前記一対の把持部を近づける方向に外力を加えて当該把持具本体を弾性変形させ、前記凸部の外周面の突起を前記凹部の内側に引っ掛けた状態としたときに、前記一対の把持部間の距離を前記規定の距離に保持するものである
ことを特徴とする上記第３の態様に記載の把持具である。
【００２７】
本発明の第１９の態様は、
前記把持具本体は、樹脂の一体成形によって形成されたものである
ことを特徴とする上記第１〜第１８のいずれか一つに記載の把持具である。
【発明の効果】
【００２８】
本発明によれば、把持具と測定具を別々に使用する場合に比較して、把持具の使用中に器具を持ち替える（交換する）回数を減らすことができる。
【図面の簡単な説明】
【００２９】
【図１】眼球の平面的な断面構造を説明する図である。
【図２】本発明の第１の実施の形態に係る把持具の構成を示す図であり、図中（Ａ）は把持具の正面図、（Ｂ）は把持具の側面図、（Ｃ）は把持具の下面図である。
【図３】本発明の第１の実施の形態に係る把持具の把持部の部分拡大図である。
【図４】本発明の第１の実施の形態に係る把持具本体の脚部の部分拡大図である。
【図５】本発明の第１の実施の形態にピン受け部の構造を示す平面拡大図である。
【図６】本発明の第１の実施の形態に係る把持具の操作方法を説明する図（その１）である。
【図７】本発明の第１の実施の形態に係る把持具の操作方法を説明する図（その２）である。
【図８】本発明の第１の実施の形態に係る把持具の操作方法を説明する図（その３）である。
【図９】本発明の第１の実施の形態に係る把持具の操作方法を説明する図（その４）である。
【図１０】本発明の第１の実施の形態に係る把持具の操作方法を説明する図（その５）である。
【図１１】本発明の第１の実施の形態に係る把持具の操作方法を説明する図（その６）である。
【図１２】本発明の第１の実施の形態に係る把持具の操作方法を説明する図（その７）である。
【図１３】本発明の第１の実施の形態に係る把持具の操作方法を説明する図（その８）である。
【図１４】本発明の第２の実施の形態に係る把持具の脚部の部分拡大図である。
【図１５】本発明の第２の実施の形態に係る把持具の操作方法を説明する図（その１）である。
【図１６】本発明の第２の実施の形態に係る把持具の操作方法を説明する図（その２）である。
【図１７】本発明の第２の実施の形態に係る把持具の操作方法を説明する図（その３）である。
【発明を実施するための形態】
【００３０】
以下、本発明に係る把持具を、たとえば、眼科手術用の器具の一つである鑷子に適用した場合の実施の形態につき、図面を参照しつつ詳細に説明する。なお、本発明に係る把持具は、鑷子への適用に限定されるものではなく、たとえば、眼科以外の医療用の手術器具、あるいは手術以外の一般的な用途、たとえば、各種の実験用（または試験用）の器具としても適用可能である。
【００３１】
本発明の実施の形態においては、次の順序で説明を行う。
１．眼球の構造
２．第１の実施の形態
３．把持具の構成
４．把持具本体の構成
５．ピンの構成
６．ピン受け部の構成
７．把持具の操作方法
８．把持目的物を把持する場合の操作方法
９．特定部位の距離を測定する場合の操作方法
１０．第１の実施の形態の効果
１１．第２の実施の形態
１２．把持具の構成
１３．把持具の操作方法
１４．第２の実施の形態の効果
１５．変形例その他
【００３２】
＜１．眼球の構造＞
図１は眼球の平面的な断面構造を説明する図である。図示のように、眼球１は、全体に球状をなし、前方の角膜２の部分を除いて強膜３により被覆保護されている。角膜２周囲の強膜３の表面は結膜４で覆われている。角膜２は、眼球保護機能のほかに、外から入ってくる光を屈折させるレンズ機能を果たす。角膜２の内側（裏側）には、房水で満たされた前房５があり、この前房５に面して虹彩６の中央に瞳孔７がある。
【００３３】
虹彩６は、瞳孔７の大きさ（開口の寸法）を調節することにより、眼球１の内部に入射する光の量を調整する機能を果たす。瞳孔７には水晶体８の前面が臨んでいる。水晶体８には、毛様小帯９を介して毛様体１０がつながっている。毛様体１０は、水晶体８の厚さを制御してピント合わせを行う筋肉組織である。
【００３４】
水晶体８の裏側には硝子体１１がある。硝子体１１は、眼球１の内部の大部分を占めている。硝子体１１は、ゼリー状の無色透明な組織であり、眼球１の形状と弾性を維持している。また、硝子体１１は、水晶体８で屈折された光線を網膜１３まで送る働きをする。網膜１３は、眼球１の内部で最も内側に位置する膜組織である。網膜１３には、瞳孔７を通して眼球１内に入射する光を感じ、その強さ、色、形などを識別する視細胞が存在する。
【００３５】
網膜１３の外側には脈絡膜１４がある。脈絡膜１４は、強膜３の内側（つまり、強膜３と網膜１３の間）に位置する膜組織である。脈絡膜１４は、血管に富んでおり、眼球１の各組織への血流路として、眼球１内に栄養を与える役目も果たす。さらに、眼球１の後側（裏側）には視神経１５がつながっている。視神経１５は、網膜１３が受けた光刺激を脳に伝える神経である。視神経１５がつながる部分には盲点１６が存在する。盲点１６は、中心窩１７から４〜５ｍｍほど離れたところにある。
【００３６】
このような構造をなす眼球１に注射する場合は、角膜２の最外郭部分となる角膜輪部から眼球１の後ろ側に３．５〜４．０ｍｍ離れた部分を注射部位として特定し、当該注射部位に注射針を差し込む必要がある。
【００３７】
＜２．第１の実施の形態＞
図２は本発明の第１の実施の形態に係る把持具の構成を示す図であり、図中（Ａ）は把持具の正面図、（Ｂ）は把持具の側面図、（Ｃ）は把持具の下面図である。
【００３８】
＜３．把持具の構成＞
図示した把持具２０は、全体に略Ｖ字形をなして二股状に形成された把持具本体２１を備えている。また、把持具２０は、好ましい例として、樹脂を用いて形成されている。具体的には、把持具２０は、たとえばアクリル樹脂などの透明な樹脂の一体成形によって形成されている。把持具本体２１は、Ｕ字形の屈曲部分（基端部）を支点にして、全体的に弾性変形可能に構成されている。以降の説明では、把持具本体２１の長さ方向をＸ方向、把持具本体２１の幅方向をＹ方向、把持具本体２１の操作方向（開閉方向）をＺ方向とする。把持具本体２１の長さ方向Ｘは、把持具本体２１の長手方向に相当し、把持具本体２１の幅方向Ｙは、把持具本体２１の短手方向に相当する。
【００３９】
＜４．把持具本体の構成＞
把持具本体２１は、大きくは、Ｕ字形に屈曲した支点部２２と、この支点部２２から延びる一対の脚部２３と、各々の脚部２３から延びる一対の把持部２４と、一方の脚部２３に設けられたピン２５と、このピン２５を受け入れるべく他方の脚部２３に設けられたピン受け部２６と、を有する構成となっている。
【００４０】
把持具２０は、一対の把持部２４を近づける方向に把持具本体２１を弾性変形させる外力を加えるように操作することにより、一対の把持部２４で把持目的物となる物体を把持するものである。把持具２０の操作の形態は主に二つに分けられる。一つは、一対の脚部２３に外力を加えることによって一対の把持部２４を近づけるように操作する「閉じ操作」であり、もう一つは、その外力を開放することによって一対の把持部２４を離間させるように操作する「開き操作」である。通常は、閉じ操作と開き操作が連続的（交互）に行われる。
【００４１】
支点部２２は、上述のように一対の把持部２４を近づけたり離したりするときに、適度な操作感（バネ性）が得られるように肉厚に形成されている。また、支点部２２は、前述したようにＵ字形に屈曲している。そして、支点部２２の内側の面は、たとえば、半径１〜２ｍｍの範囲の円弧にならって形成され、支点部２２の外側の面は、たとえば、半径４〜５ｍｍの範囲の円弧にならって形成されている。また、把持具本体２１の幅方向Ｙにおける支点部２２の幅は、たとえば、７〜９ｍｍの範囲内に設定されている。
【００４２】
一対の脚部２３は、支点部２２の曲がりの一方端と他方端から、それぞれ支点部２２と一体かつ連続をなして真っ直ぐに棒状に延出している。また、一対の脚部２３は、互いに対向する状態に配置されている。各々の脚部２３は、支点部２２と同様に肉厚（たとえば、３〜４ｍｍの厚み）に形成されている。また、各々の脚部２３は、把持具本体２１の基端部となる支点部２２側から、把持具本体２１の先端部となる把持部２４側に向かって、徐々（連続的）に幅が広くなるように形成されている。各々の脚部２３の長さは、使用目的にあわせて、たとえば、６０〜８０ｍｍの範囲内に設定されている。
【００４３】
各々の脚部２３の外面２７は、把持具本体２１の持ちやすさや扱いやすさを考慮して、脚部２３の短手方向の角部がラウンド形状に形成されている。各々の脚部２３の内面２８は、それぞれ平面をなして相対向している。一対の脚部２３の内面２８は、たとえば、７〜８°程度の開き角度θをなして互いに対向している。
【００４４】
一対の把持部２４は、実際に把持目的物を挟むように把持する部分である。一対の把持部２４は、それぞれに対応する脚部２３の延出端から、当該脚部２３と同軸に真っ直ぐに延出している。脚部２３と把持部２４の境界部は、把持具本体２１の幅方向Ｙにおいて、脚部２３の幅を両側から円弧状に絞ったかたちになっている。このため、把持部２４は、脚部２３よりも十分に狭い幅で形成されている。また、把持部２４は、先端側にいくほど幅狭に形成されている。たとえば、把持部２４の主幹部（円弧状の絞り部分を除く脚部２３寄りの部分）の幅は、１．５〜２．０ｍｍの範囲に設定され、把持部２４の先端部の幅は、たとえば、手術部位のマーキングなどに好適に対応し得るように、０．５〜１．０ｍｍの範囲内の狭幅に設定されている。
【００４５】
また、各々の把持部２４の外面は、脚部２３の延出端から把持部２４の先端に向かって円弧状に形成されている。これに対して、各々の把持部２４の内面は、把持具本体２１の動作中心線Ｋとほぼ平行な面をなしている。このため、把持部２４の肉厚は、その外面の円弧形状にしたがって徐々に薄くなっている。また、把持部２４の端部（先端）は、上記の狭幅をもって尖った形状になっている。把持具本体２１の動作中心線Ｋとは、把持具本体２１の長さ方向Ｘに沿う仮想的な線であって、支点部２２の中心（開閉操作の支点中心）を通る直線をいう。
【００４６】
各々の把持部２４の内面で、かつ当該把持部２４の先端側には、図３に示すように、パッド部２９が設けられている。パッド部２９は、一対の把持部２４で把持目的物を確実に把持できるように、ギザギザ感のある微小な凹凸構造になっている。具体的には、把持部２４内面のパッド部２９には、把持具本体２１の幅方向Ｙに平行な向きで、微小な凸部と微小な凹部が交互に連続的に並んで形成されている。
【００４７】
一対の把持部２４間の距離Ｌ１は、図２のように把持具本体２１に何ら外力を加えていない状態（以下、「全開状態」ともいう）では、たとえば、８〜１２ｍｍの範囲内でほぼ一定の距離となるように設定されている。全開状態は、把持具本体２１に加えていた外力を開放したときにも得られる。一対の把持部２４間の距離とは、特に、各々の把持部２４の先端の離間距離をいう。このため、把持具本体２１に外力を加えて一対の把持部２４を完全に閉じた状態（以下、「全閉状態」ともいう）では、一対の把持部２４間の距離が最小の距離（実質ゼロ）となる。
【００４８】
＜５．ピンの構成＞
ピン２５は、本発明における「凸部」に相当するものである。ピン２５は、図２および図４に示すように、一方の脚部２３の内面２８に、当該内面２８から垂直に起立する状態で形成されている。ピン２５は、把持具本体２１の長さ方向Ｘにおいて、一方の脚部２３の端部（脚部２３と把持部２４の境界に隣接する部分）に設けられている。また、ピン２５は、把持具本体２１の幅方向Ｙにおいて、一方の脚部２３の中心部に設けられている。
【００４９】
ピン２５は、一方の脚部２３の内面２８から他方の脚部２３に向かって突出する状態に形成されている。ピン２５の高さ寸法（突出寸法）は、一方の脚部２３の内面２８を基準に、たとえば、約４ｍｍに設定されている。ピン２５は、断面が円形の丸ピンになっている。ピン２５の先端側は、たとえば、ピン２５の中心軸に対して所定の開き角度（傾斜角度）をもってテーパー形状に形成され、これによってピン２５の先端側が先細形状になっている。所定の開き角度としては、たとえば、３０°に設定するのが好ましい。また、ピン２５の先端には、適度な強度をもたせ、かつ後述する突き当て時に安定した突き当て状態を得るために、たとえば、丸みをつけることが好ましい。また、同様の理由でピン２５の先端側を台形円錐形状に形成してもよい。
【００５０】
＜６．ピン受け部の構成＞
ピン受け部２６は、前述したピン２５との組み合わせによって、本発明における「保持手段」を構成するものである。ピン受け部２６は、図４および図５に示すように、ステージ部３１と、一対のガイド片３２と、溝部３３と、孔部３４とを有している。このうち、ステージ部３１は、本発明における「突出部」に相当するものである。また、溝部３３および孔部３４は、本発明における「凹部」に相当するものである。溝部３３および孔部３４は、上述したピン２５を挿入離脱自在な構造になっている。ピン受け部２６は、把持具本体２１の長さ方向Ｘから見て左右対称な構造になっている。
【００５１】
ここで、ステージ部３１およびガイド片３２について詳述する前に、溝部３３および孔部３４について詳述する。溝部３３および孔部３４は、他方の脚部２３の幅方向の中心を通る仮想中心線（図５に示す一点鎖線）と同一線上に形成されている。また、溝部３３は、他方の脚部２３の幅方向の中心を通る仮想中心線に沿う長溝形状となっている。溝部３３の長軸方向の両端部はそれぞれ開放されている。孔部３４は、他方の脚部２３の幅方向の中心を通る仮想中心線に沿う長孔形状となっている。孔部３４の長軸方向の両端部はそれぞれ円弧状に形成されている。
【００５２】
溝部３３および孔部３４の幅寸法（短手寸法）は、前述したピン２５の外径に対応して互いに同じ寸法に設定されている。たとえば、ピン２５の先細部分を除く外径（最大径）が１．５ｍｍであるとすると、溝部３３および孔部３４の幅寸法については、それよりも僅かに大きい１．６ｍｍに設定されている。ピン２５の外径寸法と、溝部３３および孔部３４の幅寸法との関係は、把持具本体２１を閉じるように操作したときに、溝部３３および孔部３４に対してピン２５を容易にガタツキなく挿入し得る条件を満たす関係であればよい。一方、把持具本体２１の長さ方向Ｘにおいては、把持具本体２１を閉じるように操作したときに、溝部３３および孔部３４の中間位置にピン２５が挿入されるように、それらの相対的な位置関係が設定されている。また、孔部３４は、他方の脚部２３を厚み方向に貫通する貫通孔として形成されている。これに対して、溝部３３は、脚部２３の厚み方向で孔部３４に連続するようにステージ部３１内に断面凹状に形成されている。
【００５３】
次に、ステージ部３１およびガイド片３２について順に詳述する。ステージ部３１は、他方の脚部２３の内面２８から、一方の脚部２３に向かって突出する状態に形成されている。ステージ部３１は、全体的に見て平面視略円形に形成されている。また、ステージ部３１は、把持具本体２１の長さ方向Ｘにおいて、他方の脚部２３の端部、つまり前述したピン２５と対応する位置に設けられている。
【００５４】
ステージ部３１は、把持具本体２１の幅方向Ｙにおいて、前述した溝部３３の介在により２つの半月部分３１ａ，３１ｂに分割されている。このため、各々の半月部分３１ａ，３１ｂは、溝部３３とは把持具本体２１の幅方向Ｙに位置をずらして設けられている。また、２つの半月部分３１ａ，３１ｂは、把持具本体２１の幅方向Ｙにおいて、溝部３３の両側に位置するように設けられている。各々の半月部分３１ａ，３１ｂの突面３６ａ，３６ｂ（以下、まとめて「突面３６」ともいう）は、本発明における「突き当て基準部」を含むものである。また、他方の脚部２３の内面２８を基準にした各半月部分３１ａ，３１ｂの突面３６ａ，３６ｂの高さ位置は、当該突面３６ａ，３６ｂにピン２５の先端が突き当たったときに、一対の把持部２４間の距離が、予め決められた規定の距離となるように設定されている。
【００５５】
上述した規定の距離とは、把持具の使用中に測定対象とする距離をいう。本発明の実施の形態においては、冒頭で述べたように眼科手術用の器具として把持具本体２１を使用する場合を想定している。このため、本発明の実施の形態に限っていえば、「把持具の使用中」とは「眼科手術中」を意味する。ただし、眼科手術は、眼球への注射に限らず、これ以外の眼球へのさまざまな処置を含む。また、眼科手術以外の用途、たとえば、実験用の器具として本発明の把持具を使用する場合は、「実験中」が「把持具の使用中」に相当するものとなる。眼科手術に把持具を使用する場合の「規定の距離」については、後段で詳しく説明する。
【００５６】
一対のガイド片３２は、上述した２つの半月部分３１ａ，３１ｂにそれぞれ一つずつ設けられている。各々のガイド片３２は、ステージ部３１を分割している溝部３３の一部を形成するように突状に形成されている。このため、一対のガイド片３２は、溝部３３を介して対向する状態に配置されている。また、各々のガイド片３２は、溝部３３に面して配置されている。
【００５７】
一対のガイド片３２のうち、一方のガイド片３２は、前述したピン２５の先端を半月部分３１ａの突面３６ａに突き当てる場合に、把持具本体２１の幅方向Ｙで半月部分３１ａの突面３６ａに対するピン２５の突き当て位置を決める位置決め手段の一例として設けられている。また、他方のガイド片３２は、前述したピン２５の先端を半月部分３１ｂの突面３６ｂに突き当てる場合に、把持具本体２１の幅方向Ｙで半月部分３１ｂの突面３６ｂに対するピン２５の突き当て位置を決める位置決め手段の一例として設けられている。
【００５８】
各々のガイド片３２は、ステージ部３１の突面３６から一方の脚部２３に向かって突出する状態で形成されている。また、各々のガイド片３２は、たとえば、厚みが０．５ｍｍ程度の薄い板状に形成されている。さらに、各々のガイド片３２は、他方の脚部２３の幅方向の中心を通る仮想中心線と平行に形成されている。
【００５９】
一対のガイド片３２は、互いに対向する側（溝部３３側）の面を第１のガイド面３２ａとし、その反対側（半月部分３１ａ側）の面を第２のガイド面３２ｂとしている。各ガイド片３２の第１のガイド面３２ａは、把持具本体２１を閉じ操作するときに、ピン２５を溝部３３に挿入するようにガイドする機能を果たす。一方、各ガイド片３２の第２のガイド面３２ｂは、把持具本体２１を閉じ操作するときに、ピン２５を半月部分３１ａ，３１ｂの突面３６ａ，３６ｂに突き当てるようにガイドする機能を果たす。
【００６０】
また、各々のガイド片３２は、把持具本体２１の長さ方向Ｘから見てガイド片３２の突端側が基端側よりも肉薄となるテーパー状に形成されている。具体的には、ガイド片３２の第１のガイド面３２ａは、溝部３３の片側の壁面を形成するように真っ直ぐに起立した直立面になっているのに対して、ガイド片３２の第２のガイド面３２ｂは、ガイド片３２の突端から基端にかけて所定の傾きをもつ斜面になっている。ガイド片３２の第１のガイド面３２ａは、ピン２５を受け入れやすいように、ガイド片３２の突端側の一部が面取りされていてもよい。
【００６１】
＜７．把持具の操作方法＞
続いて、本発明の第１の実施の形態に係る把持具の操作方法について説明する。
【００６２】
把持具２０の操作方法は、大きく分けて二つある。一つは、把持目的物を把持する場合の操作方法である。もう一つは、特定部位の距離（寸法）を測定する場合の操作方法である。以下、それぞれの場合の操作方法について順に説明する。
【００６３】
＜８．把持目的物を把持する場合の操作方法＞
第１の実施の形態に係る把持具２０を用いて把持目的物を把持する場合は、この把持具２０を片手で持って一対の脚部２３の各外面２７にそれぞれ人差し指と親指を接触させ、その状態から一対の脚部２３を挟み込むような外力を加える。そうすると、把持具本体２１の弾性変形によって一対の脚部２３の先端側が互いに近づく方向に変位し、それと同時に一対の把持部２４も互いに近づく方向に変位する。
【００６４】
ここで、説明の便宜上、上述した操作者の閉じ操作によって把持具２０を全開状態から全閉状態に遷移させるにあたって、把持具２０の閉じ途中（閉じかけ）の状態を時系列に複数の状態に区分する。また、一対の把持部２４間には把持目的物が存在しないものとする。
【００６５】
まず、全開状態にある把持具２０の閉じ操作を開始して最初に得られる第１の閉じ途中状態では、図６に示すように、把持具本体２１の操作方向Ｚにおいて、ピン２５の先端とピン受け部２６の突出端（本形態例ではガイド片３２の突端）とが同じ位置に配置される。この状態では、一対の把持部２４間の距離が、前述した距離Ｌ１よりも小さくなる。たとえば、全開状態の距離Ｌ１が１０ｍｍ程度であるとすると、第１の閉じ途中状態における距離は、それよりも小さい４ｍｍ程度となる。
【００６６】
その後、第２の閉じ途中状態では、図７に示すように、ピン２５の先端がピン受け部２６の溝部３３内に進入した状態となる。その際、ピン２５と溝部３３の相対位置が把持具本体２１の幅方向Ｙで若干ずれていても、ピン２５は、ガイド片３２の第１のガイド面３２ａにガイド（位置ずれが修正）されて溝部３３内に導かれる。なぜなら、ピン２５の先端側が先細構造になっており、その部分がガイド片３２の内側（第１のガイド面３２ａ）に接触することでピン２５の位置が補正されるからである。これにより、把持具２０を取り扱う操作者は、特に慎重に操作しなくても、溝部３３に対してピン２５をスムーズに挿入することができる。
【００６７】
その後、第３の閉じ途中状態では、ピン２５が溝部３３のさらに奥側まで進入することにより、図８に示すように、一対の把持部２４の先端側が接触した状態となる。このとき、ピン２５の先端側は、その先細部分のすべてが溝部３３内に挿入された状態となる。このため、把持具本体２１の幅方向Ｙで、ピン２５の外周面とこれに近接する一対のガイド片３２の第１のガイド面３２ａとの間の隙間が最小となり、この状態で一対の把持部２４の位置合わせがなされる。したがって、一対の把持部２４の先端側は、把持具本体２１の幅方向Ｙに位置ずれを生じることなく、互いに噛み合った状態で閉じられる。
【００６８】
その後、把持具２０が全閉状態になると、図９に示すように、ピン２５は溝部３３と孔部３４の両方に挿入された状態となる。また、ピン２５が設けられている一方の脚部２３の内面２８は、ピン受け部２６の突出端（ガイド片３２の突端）に突き当たった状態となる。このとき、一対の把持部２４のパッド部２９同士が、当該パッド部２９全体にわたってほとんど隙間なく密着した状態となる。また、ガイド片３２の突端が一方の脚部２３の内面２８に接触することにより、把持具２０の閉じ操作の終点が規定される。
【００６９】
その後、全閉状態から外力を開放すると、把持具本体２１の弾性変形による反力（復元力）により、把持具本体２１が元の状態、すなわち全開状態に戻る。なお、一対の把持部２４間に把持目的物が存在する場合は、上述した閉じ操作の途中で、一対の把持部２４の各パッド部２９が、それぞれ把持目的物に接触することになる。
【００７０】
＜９．特定部位の距離を測定する場合の操作方法＞
把持具２０を用いて特定の部位の距離を測定する場合は、この把持具２０を片手で持って一対の脚部２３の各外面２７にそれぞれ人差し指と親指を接触させ、その状態から一対の把持部２４を近づける方向に外力を加える。また、それと同時に、把持具本体２１の幅方向Ｙにも外力を加える。つまり、把持具本体２１を幅方向Ｙにねじりながら閉じ操作を行う。そうすると、把持具本体２１の弾性変形によって一対の脚部２３の先端側が互いに近づく方向に変位し、それと同時に一対の把持部２４も互いに近づく方向に変位する。また、把持具本体２１には外力によってねじりが加わる。このため、一対の脚部２３の先端側の位置や、そこから延びる一対の把持部２４の位置が、把持具本体２１の幅方向Ｙに相対的にずれる。
【００７１】
この場合、操作者は、把持具本体２１の幅方向Ｙに加える外力（ねじる力）を加減することにより、図１０に示すように、ピン２５の先端位置を一方のガイド片３２よりも外側に偏倚させる。そして、その状態からさらに閉じ方向に外力を加えることにより、図１１に示すように、ピン２５の先端をステージ部３１の突面３６（図例では突面３６ａ）に突き当てる。このとき、ガイド片３２の第２のガイド面３２ｂにピン２５を沿わせるようにする。この状態では、把持具本体２１の弾性変形による反力（復元力）が、ピン２５をガイド片３２の第２のガイド面３２ｂに押し付ける方向に作用する。このため、把持具本体２１の幅方向Ｙにおいて、ステージ部３１の突面３６に対するピン２５の突き当て位置が一義的に決まる。そして、この状態のもとで、一対の把持部２４間の距離が規定の距離に保持される。
【００７２】
ここで、眼科用の手術器具の一つである鑷子として把持具２０を使用する場合は、眼球に注射するときの注射部位を特定するために測定する距離、具体的には、角膜輪部から注射部位までの距離が、本発明における「測定対象とする規定の距離」に相当するものとなる。その場合、規定の距離は３．５〜４．０ｍｍの範囲内で予め決められる。このため、たとえば、規定の距離を３．５ｍｍとした場合は、把持具本体２１の各部の寸法を次のように設定する。すなわち、上述のようにピン２５の先端をステージ部３１の突面３６に突き当てたときに、図１２に示すように、把持具本体２１の操作方向Ｚにおける一対の把持部２４間の距離Ｌｚが３．１３ｍｍ、把持具本体２１の幅方向Ｙ（図２参照）における一対の把持部２４のずれ寸法Ｌｙが１．５７ｍｍとなるように設定する。これにより、三角関数の原理で、一対の把持部２４間の距離（斜め方向の把持部先端間距離）Ｌｓが３．５ｍｍ（規定の距離）となる。
【００７３】
２つの半月部分３１ａ，３１ｂからなるステージ部３１や、ガイド片３２、溝部３３、孔部３４を含めて、ピン受け部２６は左右対称に形成されている。このため、把持具本体２１の幅方向Ｙにおいて、溝部３３の両側に半月部分３１ａ，３１ｂを設けた場合に、いずれの半月部分３１ａ，３１ｂの突面３６ａ，３６ｂにピン２５の先端を突き当てても、一対の把持部２４間の距離が、いずれも規定の距離で等しくなる。
【００７４】
その後、把持具本体２１に加えていた外力を開放すると、把持具本体２１の弾性変形による反力（復元力）により、把持具本体２１が元の状態、すなわち全開状態に戻る。
【００７５】
ちなみに、上述のようにピン２５の先端がステージ部３１の突面３６に突き当たると、その瞬間に部位同士の突き当てによって得られる感触（突き当て感）が操作者の指に伝わる。このため、操作者は、操作中に指に伝わる感触をもって、一対の把持部２４間の距離が規定の距離に保持されたことを認識することができる。
【００７６】
＜１０．第１の実施の形態の効果＞
本発明の第１の実施の形態に係る把持具によれば、次のような効果が得られる。
【００７７】
本発明の第１の実施の形態に係る把持具２０は、単に目的保持物を把持する機能だけでなく、特定部位の距離を測定する機能をあわせもっている。そして、実際に把持具２０を閉じ操作する場合は、簡易的な操作の切り替え、すなわち真っ直ぐに閉じるか、ひねりながら閉じるかの切り替えによって、把持具としても測定具としても使用することができる。また、そのような操作の切り替えによって、把持具２０の使用形態を自在に変化させることができる。このため、たとえば、眼科用の手術器具の一つとして把持具２０を取り扱う場合に、上記の測定機能を使うことで、器具の持ち替え回数を減らすことができる。
【００７８】
具体的には、眼科手術の一形態として、眼球に注射する場合に、角膜輪部から３．５ｍｍ〜４．０ｍｍ離れた白目の部分を注射部位とする必要がある。その場合に、眼球の角膜輪部から注射部位までの距離を上記の把持具２０を使って測定することができる。さらに詳述すると、図１３に示すように、開瞼器３７で大きく露出させた眼球１に対して、把持具本体２１に外力を加えて一対の把持部２４間の距離を規定の距離Ｌｓ（たとえば、３．５ｍｍ）に保持した状態のまま、一方の把持部２４の先端位置を角膜輪部２ａに合わせることで、他方の把持部２４の先端位置を目安に注射部位を正確に特定することができる。したがって、把持具と測定具を別々に使用する場合に比較して、把持具の使用中に器具を持ち替える（交換する）回数や持ち直しの手間を減らすことができる。
【００７９】
また、眼球に注射するにあたっては、把持具本体２１に加えている外力を一旦開放した後、ねじりを加えることなく把持具２０を通常通り閉じ操作することにより、一対の把持部２４で結膜４を把持することができる。このため、注射部位を特定した後、速やかに眼球１を固定することが可能となる。したがって、手術器具の持ち替え（交換）回数や持ち直しの手間が減ることと相まって、眼科手術を非常に効率良く進めることができる。また、これに関連して、眼科手術に要する時間が短くなり、手術を受ける患者の負担を軽減することができる。
【００８０】
また、第１の実施の形態に係る把持具２０においては、操作者が把持具２０を閉じ操作した際に、ピン受け部２６に設けられたガイド片３２の突端が一方の脚部２３の内面２８に接触することで当該操作の終点を規定する構成となっている。つまり、ピン２５の挿入をガイドするガイド片３２が、操作の終点を規定する手段を兼ねた構成となっている。このため、操作の終点を規定するための構造を別途設けなくても、操作の終点で一対の把持部２４を適切に噛み合わせることができる。したがって、たとえば、把持具２０を使って薄い膜やフィルム状の物体をつまむ場合に、一対の把持部２４のパッド部２９間に当該物体を確実に挟んで把持することができる。
【００８１】
また、特定部位の距離を測定する場合に、ピン受け部２６に設けられたガイド片３２により、把持具本体２１の幅方向Ｙでステージ部３１の突面３６に対するピン２５の突き当て位置を決める構成となっている。このため、ピン２５の先端をステージ部３１の突面３６に突き当てた状態で、一対の把持部２４間の距離を規定の距離に精度良く合わせ込むことができる。また、把持具本体２１の長さ方向Ｘから見てガイド片３２の突出端側が基端側よりも肉薄となるテーパー状に形成しているため、操作者の閉じ操作にしたがってピン２５を徐々に偏倚させ、このピン２５の先端をステージ部３１の突面３６に突き当てることができる。
【００８２】
さらに、ピン２５をステージ部３１の突面３６に突き当てるべくピン２５をガイド片３２の第２のガイド面３２ｂでガイドするときに、把持具本体２１の弾性変形による反力がピン２５の側面（外周面）を第２のガイド面３２ｂに押し付ける方向に作用する構成となっている。このため、操作者は、ピン２５の先端をステージ部３１の突面３６に突き当てた後、主に一対の把持部２４を近づける方向に外力を加えるだけで、上記の位置決め状態を維持し、一対の把持部２４間の距離を規定の距離に正確に保つことができる。
【００８３】
また、ピン受け部２６は、ステージ部３１を構成する２つの半月部分３１ａ，３１ｂの突面３６ａ，３６ｂのうちのどちらにピン２５を突き当てても、一対の把持部２４間の距離が等しくなるように、把持具本体２１の長さ方向Ｘから見て左右対称な構造になっている。このため、たとえば、把持具２０を取り扱う操作者によって把持具本体２１をねじる方向が異なる場合や、操作者の利き手（右利き／左利き）が異なる場合でも、特定部位の距離を測定するときに一対の把持部２４間に確保される距離が変わることがない。したがって、特定部位の距離を測定するにあたって、操作者のねじり方向や利き手の違いなどの影響を受けることなく、一対の把持部２４間の距離を規定の距離に合わせることができる。
【００８４】
これに対して、ステージ部３１を構成する２つの半月部分３１ａ，３１ｂの突面３６ａ，３６ｂのうち、一方の半月部分３１ａの突面３６ａにピン２５が突き当たった場合と、他方の半月部分３１ｂの突面３６ｂにピン２５が突き当たった場合で、一対の把持部２４間の距離が異なるように構成することも可能である。この場合は、他方の脚部２３の内面２８を基準とした２つの半月部分３１ａ，３１ｂの突面３６ａ，３６ｂの高さ位置が異なるものとなる。このため、ピン受け部２６は、把持具本体２１の長さ方向Ｘから見て非対称な構造となる。
【００８５】
このような構成（非対称構造）を採用した場合は、一つの把持具２０でありながら、特定部位の距離を測定するにあたって、一対の把持部２４間の距離を、ねじりの方向によって、第１の規定の距離またはこれと異なる第２の規定の距離に自在に切り替えることができる。このため、たとえば、眼球に注射する場合に、注射部位を特定するための目安となる２つの距離に合わせて、第１の規定の距離を３．５ｍｍ、第２の規定の距離を４．０ｍｍとすれば、注射部位として適切な範囲（３．５〜４．０ｍｍ）を正確に把握することができる。
【００８６】
さらに、把持具本体２１の幅方向Ｙにおいて、把持具本体２１を第１の方向にねじったときに第１の規定の距離となり、第２の方向にねじったときに第２の規定の距離となる場合は、ねじりの方向とこれによって得られる規定の距離との関係を、目印として把持具本体２１の外面２７に付しておくことが好ましい。具体的には、たとえば、ねじりの方向を矢印で記し、そのときに得られる規定の距離を数値で記したシール等を把持具本体２１の外面２７に貼付する、または当該矢印と数値を把持具本体２１の外面２７に印刷するなどの構成を採用するとよい。
【００８７】
また、把持具２０（把持具本体２１）を樹脂の一体成形によって形成すれば、単に把持具２０の製造コストが安くなるだけでなく、次のような効果が得られる。すなわち、医療用（たとえば、眼科用）の手術器具として使用する場合に、１個あたりの単価が非常に安くなるため、使い捨てタイプで提供することができる。このため、たとえば金属等を用いて把持具本体を構成した場合は、手術に使用するたびに把持具を消毒する必要があるが、使い捨てタイプではそうした手間を省くことができる。また、使い捨てタイプとすれば、手術のたびに新品の把持具を使用することになるため、衛生面でも非常に好ましいものとなる。さらに、使用済みの把持具を回収して、その構成材料である樹脂をリサイクルすることもできる。つまり、把持具２０を樹脂の一体成形品とすることで、コスト的にも衛生的にも環境的にも有益なものとなる。
【００８８】
＜１１．第２の実施の形態＞
続いて、本発明の第２の実施の形態に係る把持具について説明する。この第２の実施の形態に係る把持具は、特に、上記第１の実施の形態と比較して、「保持手段」の構成が異なる。以下、上記第１の実施の形態に係る把持具の構成部分と同様の部分に同一符号を付与して、第２の実施の形態に係る把持具の構成を説明する。
【００８９】
＜１２．把持具の構成＞
図１４は本発明の第２の実施の形態に係る把持具の脚部の部分拡大図である。図１４においては、上記の把持具本体２１を構成する一対の脚部２３のうち、一方の脚部２３にはピン４１が設けられ、他方の脚部２３には、一対のガイド壁４２が設けられている。ピン４１は、本発明における「凸部」に相当するものである。一対のガイド壁４２の間は、断面凹状の溝部４３になっている。この溝部４３は、これに連続するように他方の脚部２３に形成された孔部４４とともに、本発明における「凹部」を構成するものである。溝部４３および孔部４４は、ピン４１を挿入離脱自在な構造になっている。
【００９０】
ピン４１は、一方の脚部２３の内面２８から他方の脚部２３側に突出する状態で形成されている。ピン４１の先端側は、当該ピン４１の中心軸方向に切れ込むかたちでスリット状に切り欠かれたすり割り構造になっている。このため、ピン４１の先端側は、すり割りによる空間を利用して矢印方向に圧縮変形し得る構成となっている。なお、ピン４１の構成としては、ピン４１の中心軸方向全体を切り欠いてすり割り構造としたものであってもよい。
【００９１】
ピン４１は、たとえば、直径３．０ｍｍ程度の丸ピンである。ピン４１の外周面には、上述した圧縮変形の方向に該当する２箇所にそれぞれ微小な突起４５が設けられている。この突起４５は、ピン４１を含めて、把持具本体２１に樹脂の一体成形によって形成されるものである。突起４５は、ピン４１の外周面から、たとえば０．３ｍｍ程度の突出寸法をもって形成されている。また、突起４５は、ピン４１の先端から、たとえば０．５〜１．０ｍｍだけ基端寄りの位置に設けられている。
【００９２】
一方、一対のガイド壁４２は、他方の脚部２３の内面２８から一方の脚部２３側に突出する状態で形成されている。一対のガイド壁４２の間に形成される溝部４３の溝幅Ｗｔは、上述したピン４１の直径よりも大きくなるように設定されている。これに対して、ピン４１の外周面に設けられた２つの突起４５の頂部間距離Ｌｔは、溝部４３の溝幅Ｗｔよりも大きく設定されている。具体的には、２つの突起４５の頂部間距離Ｌｔは、溝部４３の溝幅Ｗｔに比べて、たとえば０．４〜０．６ｍｍほど大きく設定されている。
【００９３】
一対のガイド壁４２の内側には、それぞれ上述した溝幅Ｗｔよりも溝部４３の一部を拡大するように段付き構造の逃げ部４６が形成されている。逃げ部４６は、ガイド壁４２の突端側の肉厚を部分的に薄くすることで形成されている。逃げ部４６には、突き当ての基準となる段付き面４７が設けられている。段付き面４７は、ピン４１が挿入される溝部４３の中心軸に対して鋭角（たとえば、３０〜４５°の範囲）に傾斜した斜面となっている。上述したピン４１の先端から突起４５までの寸法と、ガイド壁４２の突端から段付き面４７までの寸法とは、略同一寸法に設定されている。
【００９４】
＜１３．把持具の操作方法＞
続いて、本発明の第２の実施の形態に係る把持具の操作方法について説明する。
【００９５】
第２の実施の形態に係る把持具２０を用いて把持目的物を把持する場合は、この把持具２０を片手で持って一対の脚部２３の各外面２７にそれぞれ人差し指と親指を接触させ、その状態から一対の脚部２３を挟み込むような外力を加える。そうすると、把持具本体２１の弾性変形によって一対の脚部２３の先端側が互いに近づく方向に変位し、それと同時に一対の把持部２４も互いに近づく方向に変位する。
【００９６】
このように把持具２０を閉じ操作すると、その操作の途中で図１５（Ａ），（Ｂ）に示すように、ピン４１の先端が溝部４３に入り込んだ後、ピン４１の外周面に設けられた一対の突起４５がそれぞれに対応するガイド壁４２の段付き面４７に引っ掛かる。第２の実施の形態に係る把持具２０においては、溝部４３を形成する一対のガイド壁４２の内側（逃げ部４６の段付き面４７）にそれぞれピン４１の突起４５を引っ掛けた状態としたときに、一対の把持部２４間の距離が規定の距離に保持されるようになっている。
【００９７】
その際、把持具２０を操作する操作者の指には、突起４５が段付き面４７に接触したときの感触（引っ掛かり感）が伝わる。このため、操作者は、操作中に指に伝わる感触をもって、一対の把持部２４間の距離が規定の距離に保持されたことを認識することができる。
【００９８】
その後、一旦外力を開放するか、外力を開放せずに、一対の把持部２４を近づける方向に把持具本体２１を弾性変形させるように外力を加えると、その外力によってピン４１の先端側が圧縮変形する。そうすると、図１６に示すように、ピン４１の突起４５はガイド壁４２の段付き面４７を乗り越えて、溝部４３の奥側に進出する。
【００９９】
その後、把持具２０が全閉状態になると、図１７に示すように、ピン４１は、溝部４３とこれに連なる孔部（不図示）の両方に挿入された状態となる。また、ピン４１が設けられている一方の脚部２３の内面２８は、一対のガイド壁４２の突端に突き当たった状態となる。このとき、前述した一対の把持部２４のパッド部２９同士が、当該パッド部２９全体にわたってほとんど隙間なく密着した状態となる。また、ガイド壁４２の突端が一方の脚部２３の内面２８に接触することで、把持具２０の閉じ操作の終点が規定される。
【０１００】
その後、全閉状態から外力を開放すると、把持具本体２１の弾性変形による反力（復元力）により、把持具本体２１が元の状態、すなわち全開状態に戻る。なお、一対の把持部２４間に把持目的物が存在する場合は、上述した閉じ操作の途中で、一対の把持部２４の各パッド部２９が、それぞれ把持目的物に接触することになる。
【０１０１】
＜１４．第２の実施の形態の効果＞
本発明の第２の実施の形態に係る把持具によれば、次のような効果が得られる。
【０１０２】
本発明の第２の実施の形態に係る把持具２０は、単に目的保持物を把持する機能だけでなく、特定部位の距離を測定する機能をあわせもっている。このため、上記第１の実施の形態でも述べたように、たとえば、眼科用の手術器具の一つとして把持具２０を取り扱う場合に、上記の測定機能を使うことで、器具の持ち替え回数や持ち直しの手間を減らすことができる。
【０１０３】
また、実際に把持具２０を閉じ操作する場合は、上記第１の実施の形態のように把持具本体２１にねじり（ひねり）を加えなくても、測定具として使用することができる。さらに、閉じ操作の途中で外力を開放しなくても、測定具としての使用状態から、把持具としての使用状態に素早く変化させることができる。このため、把持具を用いた眼球の固定を伴う眼科手術を、より効率良く進めることができる。
【０１０４】
また、操作者が把持具２０を閉じ操作した際に、ガイド壁４２の突端が一方の脚部２３の内面２８に接触することで当該操作の終点を規定する構成となっている。つまり、ピン２５の挿入をガイドするガイド壁４２が、操作の終点を規定する手段を兼ねた構成となっている。このため、操作の終点を規定するための構造を別途設けなくても、操作の終点で一対の把持部２４を適切に噛み合わせることができる。したがって、たとえば、把持具２０を使って薄い膜やフィルム状の物体をつまむ場合に、一対の把持部２４のパッド部２９間に当該物体を確実に挟んで把持することができる。
【０１０５】
また、ピン４１の突起４５がガイド壁４２の段付き面４７を乗り越える程度にピン４１を溝部４３の奥側まで挿入したときに、溝部４３内のピン４１に対して自身の圧縮変形による反力（ピン４１を挟み込む力）が左右均等に作用する。このため、溝部４３の中心にガタツキなくピン４１を位置決めすることができる。
【０１０６】
また、上述したピン４１およびガイド壁４２を有する把持具２０（把持具本体２１）を樹脂の一体成形によって形成すれば、上記第１の実施の形態と同様の効果が得られる。
【０１０７】
＜１５．変形例その他＞
本発明の技術的範囲は上述した実施の形態に限定されるものではなく、発明の構成要件やその組み合わせによって得られる特定の効果を導き出せる範囲において、種々の変更や改良を加えた形態も含む。たとえば、以下のような形態が考えられる。
【０１０８】
上記第１の実施の形態に関して、ピン２５の突き当て位置を決める位置決め手段の他の例として、各々の半月部分３１ａ，３１ｂの突面３６ａ，３６ｂに、ピン２５の先端がちょうど嵌り込む凹部（たとえば、溝、孔、へこみなど）を形成する形態が考えられる。
【０１０９】
上記第１の実施の形態および第２の実施の形態に関して、把持具本体２１を閉じ操作するときの操作の終点を規定する構造部と、一対の把持部２４間を規定の距離に保持する構造部を、それぞれ別構造とした形態が考えられる。
【０１１０】
上記第１の実施の形態および第２の実施の形態に関して、一対の把持部２４は、各々の脚部２３からこれと同軸状に真っ直ぐに延びた構造に限らず、たとえば、円弧状、クランク状などのように曲がった構造であってもよい。
【０１１１】
上記第１の実施の形態において、把持具本体２１をねじる（ひねる）ように閉じ操作の外力を加える場合、一対の脚部２３の外面２７が平滑な面になっていると、そこに接触する指先に滑りが生じることも懸念される。そこで、そうした滑りを抑制するために、たとえば、一対の脚部２３の外面２７で、かつ把持具本体２１を操作する操作者の指が接触する部分に、滑り止め効果を奏する構造を採用することが好ましい。
【０１１２】
滑り止め効果を奏する構造としては、種々の態様が考えられる。たとえば、操作者の指が接触する部分を、微小な凹凸構造（ドット構造、ディンプル構造など）を有する面としてもよいし、湾曲形状（またはすり鉢形状）の凹面としてもよいし、当該接触する部分の周りを環状の微小な突起で縁取った構造としてもよい。
【符号の説明】
【０１１３】
２０…把持具
２１…把持具本体
２２…支点部
２３…脚部
２４…把持部
２５…ピン
２６…ピン受け部
２８…内面
３１…ステージ部
３２…ガイド片
３２ａ…第１のガイド面
３２ｂ…第２のガイド面
３３…溝部
３４…孔部
３６…突面
４１…ピン
４２…ガイド壁
４３…溝部
４４…孔部
４５…突起
４６…逃げ部
４７…段付き面
【図１】
0005557319.tif 000002
【図２】
0005557319.tif 000003
【図３】
0005557319.tif 000004
【図４】
0005557319.tif 000005
【図５】
0005557319.tif 000006
【図６】
0005557319.tif 000007
【図７】
0005557319.tif 000008
【図８】
0005557319.tif 000009
【図９】
0005557319.tif 000010
【図１０】
0005557319.tif 000011
【図１１】
0005557319.tif 000012
【図１２】
0005557319.tif 000013
【図１３】
0005557319.tif 000014
【図１４】
0005557319.tif 000015
【図１５】
0005557319.tif 000016
【図１６】
0005557319.tif 000017
【図１７】
0005557319.tif 000018